(57)【要約】  外部の制御装置やユーザーから静止画撮影や動画撮影を行う旨の指示がなくても、また、外部の制御装置との通信を行うことができず撮影が静止画撮影であるか動画撮影であるかが不明な場合でも、静止画撮影と動画撮影のいずれの撮影をも行うことが可能な放射線画像撮影装置を提供する。  放射線画像撮影装置１の制御手段２２は、撮影モードとして、静止画撮影が行われても動画撮影が行われても画像データを読み出し得る連続撮影モードとを有しており、外部の制御装置またはユーザーから静止画撮影を行う旨の指示または動画撮影を行う旨の指示がない場合、または、外部の制御装置との通信を行うことができず撮影が静止画撮影であるか動画撮影であるかが不明になった場合に、撮影モードを連続撮影モードに設定して、１フレームごとの画像データＤの読み出し処理を複数のフレーム分連続して行うように制御する。
2017013896.tif 000002
【特許請求の範囲】
【請求項１】
二次元状に配列され、照射された放射線の線量に応じた電荷を発生させる複数の放射線検出素子と、
前記放射線検出素子から放出された電荷を画像データとして読み出す画像データの読み出し処理を行うように制御する制御手段と、
を備える放射線画像撮影装置において、
前記制御手段は、
撮影モードとして、静止画撮影を行う静止画モードと、動画撮影を行う動画モードと、静止画撮影と動画撮影とを区別せず静止画撮影が行われても動画撮影が行われても画像データを読み出し得る連続撮影モードと、を有しており、
外部の制御装置またはユーザーから静止画撮影を行う旨の指示または動画撮影を行う旨の指示がない場合、または、外部の制御装置との通信を行うことができず撮影が静止画撮影であるか動画撮影であるかが不明になった場合に、前記撮影モードを前記連続撮影モードに設定して、１フレームごとの前記画像データの読み出し処理を複数のフレーム分連続して行うように制御することを特徴とする放射線画像撮影装置。
【請求項２】
前記制御手段は、前記連続撮影モードでは、最初に放射線の照射開始を検出する検出処理を開始し、前記検出処理において放射線の照射開始を検出した時点で、前記フレームごとの前記画像データの読み出し処理を複数のフレームで連続して行う処理に移行することを特徴とする請求項１に記載の放射線画像撮影装置。
【請求項３】
前記制御手段は、装置の起動時には、前記撮影モードを前記連続撮影モードに設定することを特徴とする請求項１または請求項２に記載の放射線画像撮影装置。
【請求項４】
前記制御手段は、前記撮影モードが前記連続撮影モードである場合に、読み出した前記フレームごとの前記画像データを外部装置に転送し、または、読み出した前記フレームごとの前記画像データのうち放射線の照射により前記放射線検出素子内で発生した電荷に起因する成分が含まれる前記フレームごとの前記画像データを外部装置に転送することを特徴とする請求項１から請求項３のいずれか一項に記載の放射線画像撮影装置。
【請求項５】
前記制御手段は、前記撮影モードが前記連続撮影モードである場合に、読み出した前記フレームごとの前記画像データを記憶手段に保存し、または、読み出した前記フレームごとの前記画像データのうち放射線の照射により前記放射線検出素子内で発生した電荷に起因する成分が含まれる前記フレームごとの前記画像データを記憶手段に保存することを特徴とする請求項１から請求項３のいずれか一項に記載の放射線画像撮影装置。
【請求項６】
前記制御手段は、前記撮影モードが前記連続撮影モードである場合に、前記記憶手段に保存した前記フレームごとの前記画像データを読み出し、操作者の指示に応じて、前記フレームごとの前記画像データに基づいて静止画撮影による画像データまたは動画撮影による画像データを作成することを特徴とする請求項５に記載の放射線画像撮影装置。
【請求項７】
前記制御手段は、前記撮影モードが前記連続撮影モードである場合に、前記記憶手段に保存された前記フレームごとの前記画像データを読み出し、前記画像データの値に基づいて、当該画像データが、静止画撮影による画像データか動画撮影による画像データかを判別し、または、当該画像データを解析して、放射線の照射が開始されてから照射が終了するまでの照射時間と、放射線の照射が終了してから次の放射線の照射が開始されるまでの経過時間と、照射された放射線の線量率のうち少なくとも１つを割り出し、割り出した結果に基づいて、前記画像データが、静止画撮影による画像データか動画撮影による画像データかを判別することを特徴とする請求項５に記載の放射線画像撮影装置。
【請求項８】
前記制御手段は、前記画像データに、当該画像データが静止画撮影による画像データか動画撮影による画像データかを表す情報を付帯させて転送することを特徴とする請求項７に記載の放射線画像撮影装置。
【請求項９】
請求項４または請求項５に記載の放射線画像撮影装置と、
画像処理装置と、
を備え、
前記画像処理装置は、前記撮影モードが前記連続撮影モードである場合に読み出された前記フレームごとの前記画像データが、前記放射線画像撮影装置から直接、または外部装置を経由して、転送されてくると、操作者の指示に応じて、前記フレームごとの前記画像データに基づいて静止画撮影による画像データまたは動画撮影による画像データを作成し、作成した前記静止画撮影による画像データに基づいて静止画の放射線画像を生成し、作成した前記動画撮影による画像データに基づいて動画を構成する複数の放射線画像を生成することを特徴とする放射線画像撮影システム。
【請求項１０】
請求項４または請求項５に記載の放射線画像撮影装置と、
画像処理装置と、
を備え、
前記画像処理装置は、前記撮影モードが前記連続撮影モードである場合に読み出された前記フレームごとの前記画像データが、前記放射線画像撮影装置から直接、または外部装置を経由して、転送されてくると、前記画像データの値に基づいて、当該画像データが、静止画撮影による画像データか動画撮影による画像データかを判別し、または、当該画像データを解析して、当該画像データを解析して、放射線の照射が開始されてから照射が終了するまでの照射時間と、放射線の照射が終了してから次の放射線の照射が開始されるまでの経過時間と、照射された放射線の線量率のうち少なくとも１つを割り出し、割り出した結果に基づいて、前記画像データが、静止画撮影による画像データか動画撮影による画像データかを判別することを特徴とする放射線画像撮影システム。
【請求項１１】
前記画像処理装置は、静止画撮影による画像データであると判別した前記画像データに基づいて静止画の放射線画像を生成し、動画撮影による画像データであると判別した前記画像データに基づいて動画を構成する複数の放射線画像を生成することを特徴とする請求項１０に記載の放射線画像撮影システム。
【請求項１２】
請求項６に記載の放射線画像撮影装置と、
画像処理装置と、
を備え、
前記画像処理装置は、前記放射線画像撮影装置で作成された前記静止画撮影による画像データに基づいて静止画の放射線画像を生成し、前記放射線画像撮影装置で作成された前記動画撮影による画像データに基づいて動画を構成する複数の放射線画像を生成することを特徴とする放射線画像撮影システム。
【請求項１３】
請求項８に記載の放射線画像撮影装置と、
画像処理装置と、
を備え、
前記画像処理装置は、静止画撮影による画像データであることを表す前記情報が付帯されている前記画像データに基づいて静止画の放射線画像を生成し、動画撮影による画像データであることを表す前記情報が付帯されている前記画像データに基づいて動画を構成する複数の放射線画像を生成することを特徴とする放射線画像撮影システム。
【発明の詳細な説明】
【技術分野】
【０００１】
本発明は、放射線画像撮影装置および放射線画像撮影システムに関する。
【背景技術】
【０００２】
近年、放射線検出素子を二次元状に配列し、放射線照射装置から照射され被写体を透過した放射線に応じて放射線検出素子内で発生した電荷を画像データとして読み取る放射線画像撮影装置（Flat Panel Detector）が種々開発されており、病院等の施設で撮影に用いられている。また、近年、放射線検出素子等が形成されたセンサーパネル等を筐体内に収納し、持ち運び可能とした可搬型の放射線画像撮影装置が開発され、実用化されている。【０００３】
このような放射線画像撮影装置では、従来の銀塩フィルムや、輝尽性蛍光体シート等を内蔵するＣＲ（Computed Radiography）カセッテと同様に、被写体を介して放射線画像撮影装置に放射線を１回照射して放射線画像を１枚ずつ撮影する静止画撮影（単純撮影や一般撮影等ともいう。）を行うことが可能である。【０００４】
しかし、従来の銀塩フィルムやＣＲカセッテでは、それらに被写体を介して放射線を連続して照射するといわゆる二重露光や多重露光の問題が生じてしまうが、放射線画像撮影装置では、撮影した放射線画像のデータ（すなわち画像データ）を外部装置に転送したり、放射線画像撮影装置に内蔵する記憶手段に保存しておくことができるため、被写体を介して放射線画像撮影装置に放射線を連続的に照射して複数枚の放射線画像を撮影することができる。【０００５】
そのため、放射線画像撮影装置は、従来の銀塩フィルムやＣＲカセッテとは異なり、例えば肺に疾患がある患者の肺換気や肺の血流等の動態を撮影する動態撮影（例えば特許文献１、２等参照）や、放射線照射装置と放射線画像撮影装置とを移動させながら被写体の複数の放射線画像を撮影するトモシンセシス撮影等のように、複数のフレームの放射線画像を時間的に連続して撮影する動画撮影を行うことも可能となるといった特徴を有している。【０００６】
なお、ここで言う動画撮影とは、ビデオカメラ等を用いて行われる通常の動画撮影とは異なり、いわば制約付き動画撮影と言うべきものである。すなわち、本発明の場合の動画撮影とは、複数のフレームの放射線画像を時間的に連続して動画状に撮影することをいい、通常の動画撮影のような１秒間に３０フレームのフレームレートよりも小さいフレームレートである場合が少なくなく、また、撮影時間に制約がある場合もある。また、通常の動画撮影では、通常、撮影した動画をリアルタイムで表示するように構成されるが、上記の動態撮影やトモシンセシス撮影のような動画撮影の場合には、動画の表示のリアルタイム性は保証されず、撮影と同時に動画を表示しない（或いは表示できない）ように構成される場合も少なくない。【０００７】
すなわち、本発明では動画や動画撮影の文言を用いて説明するが、これはビデオカメラ等で撮影される通常の動画や動画撮影のことを指すものではなく、複数のフレームの放射線画像を時間的に連続して動画状に撮影することを意味するものである。【０００８】
なお、例えば動態撮影では、放射線照射装置から放射線がパルス状に照射される場合があるが、低線量の放射線が照射され続ける状態で照射される場合もある。そして、放射線画像撮影装置は、通常、前者の場合には、放射線照射装置からの放射線の照射のタイミングと同期させて画像データの読み出し処理を行うように構成され、また、後者の場合には、画像データを読み出すタイミングが適宜調整されて撮影が行われる。【０００９】
このように、放射線画像撮影装置では、静止画撮影も動画撮影も行うことが可能であるため、例えば、デジタルカメラ等の分野では公知のように、例えば放射線画像撮影装置に選択スイッチを設け、ユーザーである放射線技師等が選択スイッチを操作することで、放射線画像撮影装置の撮影モードを、静止画撮影を行う静止画モードと動画撮影を行う動画モードとの間で切り替えることができるように構成することが考えられる。また、コンソール等の外部の制御装置から放射線画像撮影装置に信号を送信して、放射線画像撮影装置の撮影モードを静止画モードと動画モードとの間で切り替えるように構成することも考えられる。【００１０】
また、例えば、胃のバリウム検査等のように、被写体に低線量の放射線を連続的に照射しながら静止画撮影を順次行う場合には、動画モードで連続的に撮影を行って胃の状態を確認しつつ、ある瞬間には放射線技師等の操作で静止画撮影が行われるように、動画モードの中で静止画撮影が行われる場合もある（例えば特許文献３等参照）。
【先行技術文献】
【特許文献】
【００１１】
【特許文献１】特開２００４−３１２４３４号公報
【特許文献２】国際公開第２００９／０９０８９４号
【特許文献３】特開２０１１−２３５００６号公報
【発明の概要】
【発明が解決しようとする課題】
【００１２】
ところで、上記のような各ケースでは、放射線技師等の操作者が選択スイッチを操作する等して放射線画像撮影装置に対して直接操作したり、或いは操作者がコンソール等の外部の制御装置を操作して、これらの装置から放射線画像撮影装置に信号を送信して、放射線画像撮影装置の撮影モードを静止画モードと動画モードとの間で切り替えるように構成される。【００１３】
また、例えば、放射線画像撮影装置が自動的に自らの撮影モードを切り替えるように構成する場合も、例えば、放射線技師等の操作者が、静止画撮影や動画撮影等を指定した撮影オーダー情報（或いは撮影部位等の指定の仕方から静止画撮影か動画撮影かが分かる形の撮影オーダー情報）をＲＩＳ（Radiology Information System）等の外部システムからコンソールに入手したり或いは操作者がコンソールに撮影オーダー情報を入力し、その撮影オーダー情報をコンソールから放射線画像撮影装置に送信したり、或いは放射線画像撮影装置に直接入力し、放射線画像撮影装置の制御手段が、撮影オーダー情報に基づいて撮影モードを静止画モードと動画モードとの間で切り替えるように構成されることが考えられる。【００１４】
そして、放射線画像撮影装置は、各撮影モードに対応する処理の仕方、すなわち静止画モードの場合には静止画を撮影するための処理の仕方、動画モードの場合には動画を撮影するための処理の仕方で処理を行うように、処理の仕方を切り替えて撮影を行う。そして、上記のいずれの場合も、放射線画像撮影装置が、放射線技師等の操作や、入力された撮影オーダー情報等に基づいて、事前にこれから行われる撮影が静止画撮影であるか動画撮影であるかを認識していることが前提となっている。【００１５】
しかしながら、例えば、放射線画像撮影装置や放射線照射装置を、病室や患者の自宅等に持ち込んで撮影を行うような場合、或いは事件や災害の現場等に持ち込んで患者のトリアージ等を行うために撮影を行うような場合、或いは故障した競馬馬等の撮影を現場で行うような場合等には、静止画撮影と動画撮影のいずれを行うかや、静止画撮影と動画撮影とをどのような順番で行うか等を前もって決めることができない場合が少なくない。【００１６】
そのような場合に、放射線技師等の操作者が、現場で、放射線画像撮影装置の撮影モードを静止画モードと動画モードとの間でいちいち切り替えて設定するのは、操作者にとって煩わしい作業である。また、操作者が、静止画撮影を行う旨の指示や動画撮影を行う旨の指示を行う間もなく次々と撮影を行わなければならない場合もあり得る。【００１７】
また、例えば、コンソール等の外部の制御装置と放射線画像撮影装置とが無線通信で信号やデータ等の送受信を行い、制御装置から放射線画像撮影装置に次の撮影が静止画撮影か動画撮影かを知らせたり撮影オーダー情報を送信したりするように構成されている場合であっても、電波状態等の通信環境が悪く、通信が途切れる等して放射線画像撮影装置が外部の制御装置との通信を行うことができず、放射線画像撮影装置の制御手段が、撮影が静止画撮影であるか動画撮影であるかが不明になる場合もある。【００１８】
以上のような場合には、放射線画像撮影装置の撮影モードとして、静止画撮影を行う静止画モードや、動画撮影を行う動画モードだけでなく、静止画撮影と動画撮影とを区別せずに撮影を行うことができるモードを有していれば、放射線技師等の操作者が、その放射線画像撮影装置を用いて、撮影モードをいちいち設定したり切り替えたりする作業を行うことなく静止画も動画も撮影することが可能となり、操作者が自由に撮影を行うことが可能となるため望ましい。【００１９】
本発明は、上記の問題点を鑑みてなされたものであり、コンソール等の外部の制御装置や放射線技師等のユーザーから静止画撮影或いは動画撮影を行う旨の指示がなくても、また、外部の制御装置との通信を行うことができず撮影が静止画撮影であるか動画撮影であるかが不明な場合でも、静止画撮影と動画撮影のいずれの撮影をも行うことが可能な放射線画像撮影装置を提供することを目的とする。【００２０】
また、上記のような放射線画像撮影装置で撮影された画像データに基づいて静止画の放射線画像や動画の複数の放射線画像を適切に生成させるためには、上記のような放射線画像撮影装置で撮影された画像データが、静止画撮影による画像データか、動画撮影による画像データかが的確に判別されることが必要である。【００２１】
そのため、本発明は、上記のような放射線画像撮影装置で撮影された画像データが、静止画撮影による画像データか、動画撮影による画像データかを的確に判別することが可能な放射線画像撮影装置や放射線画像撮影システムを提供することをも目的とする。
【課題を解決するための手段】
【００２２】
前記の問題を解決するために、本発明の放射線画像撮影装置は、
二次元状に配列され、照射された放射線の線量に応じた電荷を発生させる複数の放射線検出素子と、
前記放射線検出素子から放出された電荷を画像データとして読み出す画像データの読み出し処理を行うように制御する制御手段と、
を備える放射線画像撮影装置において、
前記制御手段は、
撮影モードとして、静止画撮影を行う静止画モードと、動画撮影を行う動画モードと、静止画撮影と動画撮影とを区別せず静止画撮影が行われても動画撮影が行われても画像データを読み出し得る連続撮影モードと、を有しており、
外部の制御装置またはユーザーから静止画撮影を行う旨の指示または動画撮影を行う旨の指示がない場合、または、外部の制御装置との通信を行うことができず撮影が静止画撮影であるか動画撮影であるかが不明になった場合に、前記撮影モードを前記連続撮影モードに設定して、１フレームごとの前記画像データの読み出し処理を複数のフレーム分連続して行うように制御することを特徴とする。【００２３】
また、本発明の放射線画像撮影システムは、
上記の放射線画像撮影装置と、
画像処理装置と、
を備え、
前記画像処理装置は、前記撮影モードが前記連続撮影モードである場合に読み出された前記フレームごとの前記画像データが、前記放射線画像撮影装置から直接、または外部装置を経由して、転送されてくると、前記画像データの値に基づいて、当該画像データが、静止画撮影による画像データか動画撮影による画像データかを判別し、または、当該画像データを解析して、当該画像データを解析して、放射線の照射が開始されてから照射が終了するまでの照射時間と、放射線の照射が終了してから次の放射線の照射が開始されるまでの経過時間と、照射された放射線の線量率のうち少なくとも１つを割り出し、割り出した結果に基づいて、前記画像データが、静止画撮影による画像データか動画撮影による画像データかを判別することを特徴とする。
【発明の効果】
【００２４】
本発明のような方式の放射線画像撮影装置によれば、コンソール等の外部の制御装置や放射線技師等のユーザーから静止画撮影或いは動画撮影を行う旨の指示がなくても、また、外部の制御装置との通信を行うことができず撮影が静止画撮影であるか動画撮影であるかが不明な場合でも、静止画撮影と動画撮影のいずれの撮影を行うことも可能となる。【００２５】
また、本発明のような方式の放射線画像撮影装置によれば、上記のような放射線画像撮影装置で撮影された画像データが、静止画撮影による画像データか、動画撮影による画像データかを的確に判別することが可能となる。
【図面の簡単な説明】
【００２６】
【図１】本実施形態に係る放射線画像撮影装置の外観を示す斜視図である。
【図２】放射線画像撮影装置の等価回路を表すブロック図である。
【図３】静止画撮影で放射線画像撮影装置と放射線照射装置とが連携しながら撮影を行う場合に各走査線にオン電圧を印加するタイミング等を説明するタイミングチャートである。
【図４】静止画撮影で放射線画像撮影装置が放射線の照射開始を検出して撮影を行う場合に各走査線にオン電圧を印加するタイミング等を説明するタイミングチャートである。
【図５】動画撮影で放射線がパルス状に照射される場合に各走査線にオン電圧を印加するタイミング等を説明するタイミングチャートである。
【図６】連続撮影モードでフレームごとの画像データの読み出し処理を繰り返し行う場合に各走査線にオン電圧を印加するタイミング等を説明するタイミングチャートである。
【図７】連続撮影モードにおいて放射線画像撮影装置に放射線が照射されるタイミングの一例を示すタイミングチャートである。
【図８】連続撮影モードにおいて放射線画像撮影装置に放射線が照射されるタイミングの別の例を示すタイミングチャートである。
【図９】動画撮影で放射線が照射され続ける場合に放射線画像撮影装置に放射線が照射されるタイミングの例を示すタイミングチャートである。
【図１０】本実施形態に係る放射線画像撮影システムの構成を表す図である。
【図１１】連続撮影モードで図７に示したようなタイミングで放射線が照射された場合に有用な画像データが読み出される範囲を模式的に表した図である。
【図１２】連続撮影モードで図８に示したようなタイミングで放射線が照射された場合に有用な画像データが読み出される範囲を模式的に表した図である。
【図１３】経過時間と照射時間との関係を表す図である。
【発明を実施するための形態】
【００２７】
以下、本発明に係る放射線画像撮影装置および放射線画像撮影システムの実施の形態について、図面を参照して説明する。
【００２８】
なお、以下では、放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することも可能である。
【００２９】
［放射線画像撮影装置］
本実施形態に係る放射線画像撮影装置の基本的な構成等について説明する。図１は、放射線画像撮影装置の外観を示す斜視図である。
【００３０】
本実施形態では、放射線画像撮影装置１は、後述する放射線検出素子７等が筐体２内に収納されて構成されており、筐体２の一方の側面には、電源スイッチ２５や切替スイッチ２６、前述したコネクター２７、ＬＥＤ等で形成されたインジケーター２８等が配置されている。また、図示を省略するが、本実施形態では、筐体２の例えば反対側の側面等に、外部装置と無線方式で通信を行うためのアンテナ２９（後述する図２参照）が設けられている。なお、放射線画像撮影装置１は、外部と無線方式で通信を行う場合にはアンテナ２９を用い、外部と有線方式で通信を行う場合にはコネクター２７に図示しないケーブル等を接続させて通信するようになっている。
【００３１】
図２は、放射線画像撮影装置の等価回路を表すブロック図である。図２に示すように、放射線画像撮影装置１には、図示しないセンサー基板上に複数の放射線検出素子７が二次元状（マトリクス状）に配列されている。各放射線検出素子７は、照射された放射線の線量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００３２】
各放射線検出素子７には、薄膜トランジスター（Thin Film Transistor。以下、ＴＦＴという。）８がスイッチ素子として接続されており、ＴＦＴ８は信号線６に接続されている。また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加されるようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００３３】
読み出しＩＣ１６内には複数の読み出し回路１７が設けられており、読み出し回路１７にはそれぞれ信号線６が接続されている。そして、画像データＤの読み出し処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図２では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００３４】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されており、また、アンテナ２９やコネクター２７を介して外部と無線方式や有線方式で通信を行う通信部３０が接続されている。
【００３５】
また、制御手段２２には、走査駆動手段１５や読み出し回路１７、記憶手段２３、バイアス電源１４等の各機能部に必要な電力を供給する内蔵電源２４等が接続されている。そして、制御手段２２は、画像データＤの読み出し処理の際には、上記のように走査駆動手段１５や読み出し回路１７等の動作を制御して、各放射線検出素子７から信号線６に放出された電荷を読み出し回路１７等で画像データＤとして読み出すように制御するようになっている。
【００３６】
なお、本実施形態に係る放射線画像撮影装置１は、図示しない撮影台に装填して撮影に用いることも可能であるが、図示を省略するが、撮影台に装填せずに、いわば単独の状態で、例えば被写体である患者の身体にあてがったり、或いは例えば患者とベッドとの間に挿入する等して撮影に用いることもできるようになっている。
【００３７】
［放射線画像撮影装置の撮影モードについて］
次に、本実施形態に係る放射線画像撮影装置１の制御手段２２に設定可能な撮影モードについて説明する。本実施形態では、制御手段２２は、撮影モードとして、静止画撮影を行う静止画モードと、動画撮影を行う動画モードと、静止画撮影と動画撮影とを区別せずにフレームごとの画像データＤの読み出し処理を複数のフレームで連続して行う連続撮影モードとを有している。
【００３８】
［静止画モード］
制御手段２２は、撮影モードが静止画モードである場合には、例えば、図示しない放射線照射装置と連携しながら撮影が行われる。すなわち、図３に示すように、走査駆動手段１５のゲートドライバー１５ｂ（図２参照）から走査線５の各ラインＬ１〜Ｌｘにオン電圧を順次印加して、放射線検出素子７内に残存する電荷を信号線６に放出させる等して放射線検出素子７内から除去する放射線検出素子７のリセット処理を行う。
【００３９】
そして、放射線技師等の操作者が放射線照射装置の曝射スイッチを操作して放射線照射装置から照射開始信号が送信されてくると、放射線画像撮影装置１の制御手段２２は、図３に示すように、その時点で行っている放射線検出素子７のリセット処理を、走査線５の最終ラインＬｘまでオン電圧が印加された時点で終了させて、ゲートドライバー１５ｂから走査線５の各ラインＬ１〜Ｌｘにオフ電圧を印加させて電荷蓄積状態に移行させる。また、それとともに放射線照射装置にインターロック解除信号を送信する。
【００４０】
そして、放射線照射装置は、放射線画像撮影装置１からのインターロック信号を受信すると放射線を照射させる。なお、図３の斜線部分は放射線が照射されている期間を表す。そして、放射線画像撮影装置１の制御手段２２は、電荷蓄積状態に移行してから所定の時間が経過した時点で、ゲートドライバー１５ｂから走査線５の各ラインＬ１〜Ｌｘにオン電圧を順次印加させて前述したように画像データＤの読み出し処理を行う。
【００４１】
また、静止画モードでは、通常、撮影の前または後に、放射線画像撮影装置１に放射線が照射されない状態で、図３に示したように、放射線検出素子７のリセット処理を行い電荷蓄積状態に移行した後、所定の時間が経過した時点で、画像データＤの読み出し処理と同様にしてオフセットデータＯの読み出し処理が行われるように構成される。
【００４２】
また、撮影モードが静止画モードである場合、上記のように放射線画像撮影装置１と放射線照射装置とが連携しない状態で撮影が行われる場合もある。このような場合には、放射線画像撮影装置１が自ら放射線の照射が開始されたことを検出することが必要になる。例えば、よく知られているように、放射線画像撮影装置１が図示しないＸ線センサーを備えるように構成し、制御手段２２がＸ線センサーからの出力値に基づいて放射線の照射開始を検出するように構成することができる。
【００４３】
また、放射線の照射開始の検出処理については、この他にも、例えば特開２００９−２１９５３８号公報や国際公開第２０１１／１３５９１７号、国際公開第２０１１／１５２０９３号等に記載された方法を用いることが可能である。これらの方法については各公報等に詳述されており、それらを参照されたい。
【００４４】
例えば制御手段２２がＸ線センサーからの出力値に基づいて放射線の照射開始を検出するように構成する場合、制御手段２２は、図４に示すように、放射線の照射開始前から放射線検出素子７のリセット処理を行わせる。そして、Ｘ線センサーからの出力値に基づいて放射線の照射開始を検出すると、その時点で放射線検出素子７のリセット処理を停止して電荷蓄積状態に移行させる。
【００４５】
そして、電荷蓄積状態に移行してから所定の時間が経過した時点で、ゲートドライバー１５ｂから走査線５の各ラインＬ１〜Ｌｘにオン電圧を順次印加させて前述したように画像データＤの読み出し処理を行うように構成される。なお、この場合も、通常、撮影の前または後にオフセットデータＯの読み出し処理が行われる。
【００４６】
［動画モード］
また、放射線画像撮影装置１の制御手段２２は、撮影モードが動画モードである場合には、動画撮影が行われる撮影状況（動態撮影かトモシンセシス撮影かその他の撮影か、放射線の照射がパルス状か連続か、放射線の照射時間または照射回数、照射から次の照射までの時間間隔等）にあわせて画像データＤの読み出し処理を行うように構成される。
【００４７】
すなわち、例えば放射線照射装置から放射線がパルス状に照射される場合には、放射線画像撮影装置１と放射線照射装置との間で同期がとられる。そして、放射線画像撮影装置１の制御手段２２は、放射線照射装置からの放射線の照射のタイミングと同期させて、例えば図５に示すように、放射線の照射（図中の斜線部分参照）と次の放射線の照射との間に画像データＤの読み出し処理を行うように構成される。すなわち画像データＤの読み出し処理は１フレームごとに行われる。
【００４８】
また、動画モードの場合は、上記の静止画モードの場合とは異なり、通常、オフセットデータＯの読み出し処理は行われず、撮影がフレームごとに次々と行われる。照射から次の照射までの時間間隔が比較的長い場合には、オフセットデータＯの読み出し処理をフレームごとに行うように構成される場合もある。
【００４９】
また、動画モードの場合は、上記の静止画モードの場合とは異なり、通常、放射線の照射と次の放射線の照射との間ではオフセットデータＯの読み出し処理は行われず、撮影がフレームごとに次々と行われる。照射から次の照射までの時間間隔が比較的長い場合には、オフセットデータＯの読み出し処理をフレームごとに行うように構成される場合もある。また、一連のパルス状の放射線の照射或いは低線量の放射線の継続的な照射の前後において、１フレーム分や複数フレーム分のオフセットデータＯの読み出し処理が行われる場合もある。
【００５０】
また、読み出された画像データＤは、撮影ごとに（すなわちフレームごとに）外部の画像処理装置等に転送されるように構成してもよく、また、放射線画像撮影装置１の記憶手段２３（図２参照）に保存しておき、後で画像処理装置等に転送するように構成することも可能であり、この点は静止画モードの場合と同様である。
【００５１】
［連続撮影モード］
一方、本実施形態では、放射線画像撮影装置１の制御手段２２は、撮影モードとして、静止画撮影と動画撮影とを区別せず静止画撮影が行われても動画撮影が行われても画像データＤを読み出し得る連続撮影モードを有している。上記のように、静止画モードや動画モードの場合には、制御手段２２は、放射線照射装置と同期をとる等しながら画像データＤの読み出し処理を行う必要があった。
【００５２】
しかし、連続撮影モードでは、制御手段２２は、撮影が静止画撮影と動画撮影とを区別せずに、放射線照射装置との同期をとる等の処理も行わず、例えば図６に示すように、フレームごとの画像データＤの読み出し処理を複数のフレームで連続して行う繰り返し行うように制御するようになっている。なお、フレーム（或いは１フレーム）とは、走査駆動手段１５のゲートドライバー１５ｂ（図２参照）から走査線５の最初のラインＬ１から最後のラインＬｘまでオン電圧を順次印加する期間をいう。
【００５３】
なお、制御手段２２は、放射線画像撮影装置１の撮影モードを連続撮影モードに設定してから間もなく撮影が開始されることが分かっている場合には、上記のように、撮影モードが連続撮影モードに設定された時点からフレームごとの画像データＤの読み出し処理を開始するように構成することが可能である。
【００５４】
しかし、各読み出し回路１７（図２参照）での画像データＤの読み出し処理では比較的大きな電力が消費される場合がある。そのため、撮影モードが連続撮影モードに設定されてから実際に撮影が開始されるまでの時間が長くなる可能性がある場合には、内蔵電源２４（図２参照）の消耗を避けるため、制御手段２２は、撮影モードを連続撮影モードに設定すると、前述した放射線画像撮影装置１と放射線照射装置とが連携しない場合と同様に、最初に、Ｘ線センサーを用いる等して放射線画像撮影装置１が自ら放射線の照射開始を検出する検出処理を開始し、放射線の照射開始を検出した時点でフレームごとの画像データＤの読み出し処理を繰り返して行う処理に移行するように構成することも可能である。
【００５５】
また、上記のように、撮影モードが連続撮影モードに設定された際に、その時点からすぐにフレームごとの画像データＤの読み出し処理を開始する処理の仕方と、撮影モードが連続撮影モードに設定された時点では放射線の照射開始の検出処理を開始させ、放射線の照射開始が検出された時点でフレームごとの画像データＤの読み出し処理に移行する処理の仕方のいずれかを、例えば放射線技師等の操作者が設定したり選択したりできるように構成することも可能である。
【００５６】
［本発明に特有の構成について］
そして、本実施形態では、放射線画像撮影装置１の制御手段２２は、放射線技師等の操作者（ユーザー）が放射線画像撮影装置１の切替スイッチ２６（図１参照）を操作したり、或いはコンソール等の外部の制御装置を操作して制御装置から放射線画像撮影装置１に信号を送信する等して、放射線画像撮影装置１に対して静止画撮影を行う旨の指示や動画撮影を行う旨の指示があった場合は、放射線画像撮影装置１の制御手段２２は、放射線画像撮影装置１の撮影モードを、指示があった撮影に対応するモード（すなわち静止画撮影を行う旨の指示に対しては静止画モード、動画撮影を行う旨の指示に対しては動画モード）に設定する。
【００５７】
そして、制御手段２２は、上記で説明したような、設定した撮影モードに対応する処理を行って撮影を行い、静止画撮影の場合には放射線画像１枚分の画像データＤを読み出し、動画撮影の場合には複数枚分の画像データＤを読み出す。
【００５８】
一方、本実施形態では、上記のように放射線技師等の操作者からもコンソール等の外部の制御装置からも、静止画撮影を行う旨の指示や動画撮影を行う旨の指示がない場合や、外部の制御装置との通信を行うことができず撮影が静止画撮影であるか動画撮影であるかが不明になった場合には、放射線画像撮影装置１の撮影モードを連続撮影モードに設定して、フレームごとの画像データＤの読み出し処理を複数のフレームで連続して行うように制御するように構成されている。
【００５９】
すなわち、放射線技師等の操作者（ユーザー）が直接、或いはコンソール等を介して放射線画像撮影装置１に静止画撮影を行う旨の指示や動画撮影を行う旨の指示が入力されたり送信されたりしない場合、放射線画像撮影装置１の制御手段２２は、これから行われる撮影が、静止画撮影なのか動画撮影なのかが分からない。
【００６０】
そこで、本実施形態では、このような場合には、制御手段２２は、放射線画像撮影装置１の撮影モードを、静止画モードでも動画モードでもなく、上記のように静止画撮影が行われても動画撮影が行われても画像データＤを読み出すことができるようにフレームごとの画像データＤの読み出し処理を繰り返し行う連続撮影モードに設定するようになっている。
【００６１】
また、本実施形態では、放射線画像撮影装置1の制御手段２２は、通信部３０（図２参照）での通信状態を所定のタイミングで監視している。そして、静止画撮影も動画撮影も行うことができる状況下で電波状態等の無線通信の環境が悪化する等してコンソール等との無線通信を行うことができなくなり、次に行われる撮影が静止画撮影であるか動画撮影であるかが不明になったような場合にも、放射線画像撮影装置１の制御手段２２は、撮影モードを、静止画モードでも動画モードでもなく、上記のような連続撮影モードに設定するようになっている。
【００６２】
［起動時に連続撮影モードに設定されることについて］
また、放射線技師等の操作者により放射線画像撮影装置１の電源スイッチ２５（図１参照）が押下されたり、或いはコンソールから放射線画像撮影装置１に覚醒（wake up）信号が送信される等して、放射線画像撮影装置１が起動した時点では、これから行われる撮影が静止画撮影であるか動画撮影であるか分からず、どのような撮影を行うかの指示がないまま撮影が開始されてしまう可能性がある。
【００６３】
そのため、本実施形態では、放射線画像撮影装置１の制御手段２２は、装置の起動時には、撮影モードを連続撮影モードに設定するようになっている。すなわち、上記のように、制御手段２２は、放射線画像撮影装置１が起動されると、各機能部に所定の初期動作を行わせた後、フレームごとの画像データＤの読み出し処理を開始したり、或いは放射線の照射開始の検出処理を開始する（その後、照射開始の検出時点でフレームごとの画像データＤの読み出し処理を行う）ように構成されている。
【００６４】
［作用］
次に、本実施形態に係る放射線画像撮影装置１の作用について説明する。
【００６５】
本実施形態では、前述したように、放射線画像撮影装置１や放射線照射装置を患者の自宅や災害現場等に持ち込んで撮影を行うような場合、すなわちコンソール等の外部の制御装置の制御を受けずに撮影を行うケースや、例えばコンソールや放射線照射装置等を搭載した回診車を病室や患者の自宅等に搬入して撮影を行う際に、電波状態等の通信環境が悪くなり、通信が途切れる等して放射線画像撮影装置１がコンソール等との通信を行うことができなくなったようなケースが想定されている。
【００６６】
しかし、例えば無線環境が整った撮影室等でも通信環境が悪化して放射線画像撮影装置１とコンソール等との無線通信を行うことができなくなったような場合にも本発明を適用することが可能であり、放射線画像撮影装置１に対して静止画撮影を行う旨の指示や動画撮影を行う旨の指示がない場合や、コンソール等の外部の制御装置との通信を行うことができず撮影が静止画撮影であるか動画撮影であるかが不明になった場合であれば、どのようなケースでも本発明を適用することが可能である。
【００６７】
放射線画像撮影装置１の制御手段２２は、上記のように、放射線技師等の操作者から静止画撮影を行う旨或いは動画撮影を行う旨の指示があると、放射線画像撮影装置１の撮影モードを静止画モード或いは動画モードに設定する。また、静止画撮影を行う旨の指示や動画撮影を行う旨の指示がない場合、或いは、コンソール等の外部の制御装置との通信を行うことができず撮影が静止画撮影であるか動画撮影であるかが不明になった場合には、撮影モードを、連続撮影モードに設定する。
【００６８】
そして、制御手段２２は、連続撮影モードでは、図６に示したように、フレームごとの画像データＤの読み出し処理を複数の前記フレームで連続して繰り返して行うように走査駆動手段１５のゲートドライバー１５ｂや読み出し回路１７（図２参照）等を制御する。なお、以下では、このように、撮影モードを連続撮影モードに設定した時点でフレームごとの画像データＤの読み出し処理を開始する場合について説明するが、前述したように、撮影モードとして連続撮影モードを設定した時点では放射線の照射開始の検出処理を開始し、放射線の照射開始を検出した時点でフレームごとの画像データＤの読み出し処理を繰り返して行う処理に移行するように構成することも可能である。
【００６９】
放射線画像撮影装置１の撮影モードが連続撮影モードである状態で、静止画撮影が行われると、放射線の照射時間やフレームレート（１フレーム分の画像データＤの読み出し処理に要する時間）等にもよるが、例えば図７に示すように、放射線の照射が１フレーム分の画像データＤの読み出し処理を行っている最中に開始されて終了するような場合もあり、また、図８に示すように、放射線の照射が数フレームに跨って行われる場合もある。
【００７０】
なお、図８では、放射線の照射が２フレームに跨って行われる場合が示されているが、３フレーム以上に跨って行われる場合もあり得る。また、図７、図８および以下の各図において、斜線部分は放射線が照射されている期間を表す。
【００７１】
しかし、放射線画像撮影装置１の撮影モードが連続撮影モードであれば、図７の場合も図８の場合も、図示しない被写体を介して放射線が放射線画像撮影装置１に照射されている間は、放射線画像撮影装置１で画像データＤの読み出し処理が繰り返し行われている。そのため、放射線の照射により各放射線検出素子７内で発生した電荷に起因する成分が含まれる画像データＤを的確かつ確実に読み出すことが可能となる。
【００７２】
また、放射線画像撮影装置１の撮影モードが連続撮影モードである状態で、例えば動画撮影が行われる場合、前述したように、例えば動態撮影では放射線照射装置から放射線がパルス状に照射される場合と低線量の放射線が照射され続ける状態で照射される場合がある。そして、前者の場合、放射線画像撮影装置１に対して放射線がパルス状に照射されると、放射線の照射とフレームごとの画像データＤの読み出し処理との関係は、結局、図７や図８に示したような状態になる。そのため、放射線がパルス状に照射される毎に、放射線の照射により各放射線検出素子７内で発生した電荷に起因する成分が含まれる画像データＤを的確かつ確実に読み出すことが可能となる。
【００７３】
なお、この場合、フレームレートが遅いと（すなわち１フレーム分の画像データＤの読み出し処理に要する時間が長いと）、放射線画像撮影装置１に放射線がパルス状に照射されて各放射線検出素子７内で発生した電荷が画像データＤとして読み出される前に次のパルス状の放射線が照射されてしまい、いわゆる二重露光（多重露光）の状態になってしまう。
【００７４】
そのため、放射線画像撮影装置１の撮影モードを連続撮影モードに設定した場合、当該放射線画像撮影装置１で設定し得る最速のフレームレートに設定してフレームごとの画像データＤの読み出し処理を行うように構成することが望ましい。
【００７５】
また、放射線画像撮影装置１の撮影モードが連続撮影モードである状態で、例えば動画撮影が行われる場合に、低線量の放射線が照射され続ける状態で照射される場合には、放射線の照射が開始されると、数秒から数十秒のオーダーで長期間にわたって放射線が照射され続ける状態になる。
【００７６】
しかし、そのような場合も、本実施形態では、図９に示すように、放射線が照射され続ける間、フレームごとの画像データＤの読み出し処理が繰り返し行われるため、この場合も、放射線の照射により各放射線検出素子７内で発生した電荷に起因する成分が含まれる画像データＤを的確かつ確実に読み出すことが可能となる。
【００７７】
［効果］
以上のように、本実施形態に係る放射線画像撮影装置１によれば、コンソール等の外部の制御装置や放射線技師等のユーザーから静止画撮影を行う旨の指示や動画撮影を行う旨の指示がなくても、また、外部の制御装置との通信を行うことができず撮影が静止画撮影であるか動画撮影であるかが不明な場合でも、放射線画像撮影装置１の制御手段２２は、撮影モードを連続撮影モードに設定して、フレームごとの画像データＤの読み出し処理を複数のフレームで連続して繰り返して行うように制御する。
【００７８】
そのため、コンソール等の外部の制御装置や放射線技師等のユーザーから静止画撮影或いは動画撮影を行う旨の指示がなくても、また、外部の制御装置との通信を行うことができず撮影が静止画撮影であるか動画撮影であるかが不明な場合でも、静止画撮影と動画撮影のいずれの撮影を行うことも可能となる。
【００７９】
そして、上記の状態で静止画撮影が行われても動画撮影が行われても、フレームごとの画像データＤの読み出し処理で画像データＤを的確に読み出すことが可能となり、連続撮影モードにおいて静止画撮影も動画撮影もいずれの撮影をも的確に行うことが可能となる。
【００８０】
そして、放射線画像撮影装置１の制御手段２２が、放射線画像撮影装置１の撮影モードを連続撮影モードに切り替えれば、放射線技師等の操作者が、撮影モードを静止画モードや動画モードにいちいち切り替えなくても静止画撮影や動画撮影を的確に行うことが可能となるため、操作者は、撮影モードの切り替えといった煩わしい作業を行うことなく自由に撮影を行うことが可能となる。
【００８１】
［連続撮影モードであることの報知について］
なお、放射線画像撮影装置１の撮影モードが連続撮影モードであれば、上記のように静止画撮影を行うことも動画撮影を行うことも可能であるが、例えば静止画撮影を行う際には、連続撮影モードで静止画撮影を行うよりも、静止画撮影に適した静止画モード（図３や図４参照）で撮影を行う方が静止画の放射線画像をより的確に撮影することが可能である場合が多い。
【００８２】
また、動画撮影を行う際にも、連続撮影モードで動画撮影を行うよりも、動画撮影に適した動画モード（図５参照）で撮影を行う方が動画の複数の放射線画像をより的確に撮影することが可能である場合が多いと考えられる。また、静止画モードで静止画撮影を行ったり、動画モードで動画撮影を行えば、連続撮影モードでそれらを撮影した場合に必要な、後述する判別処理等を行う必要がなく、静止画や動画の放射線画像を速やかに生成させることが可能となる。
【００８３】
そこで、放射線画像撮影装置１の撮影モードが連続撮影モードである場合に、放射線技師等の操作者が、そのまま連続撮影モードで撮影を行う、或いは撮影モードを静止画モードや動画モードに切り替える等の判断を行うことができるようにするために、放射線画像撮影装置１の撮影モードが連続撮影モードであることを操作者に報知するように構成することが望ましい。
【００８４】
この場合、例えば、放射線画像撮影装置１のインジケーター２８（図１参照）を所定の色や点灯、点滅の仕方等で発光させたり、或いは、ピープ音を発生させる等して、放射線技師等の操作者に報知するように構成することが可能である。また、操作者が、スマートフォンや携帯情報端末等を所持している場合には、それらに送信して、画面上に表示させたり音声を発生させたりして報知するように構成することも可能である。
【００８５】
［画像データＤの転送や保存について］
また、連続撮影モードで上記のようにしてフレームごとに画像データＤを読み出すごとに、外部装置に転送するように構成することが可能である。図示を省略するが、この場合、例えば、放射線画像撮影装置１を無線ＬＡＮ等でインターネット等のネットワークに接続しておき、放射線画像撮影装置１で上記のようにしてフレームごとに画像データＤを読み出すごとにクラウド上のサーバーやネットワークに接続されているシステム等の外部装置に画像データＤを転送して、外部装置上で保存して蓄積するように構成することが可能である。
【００８６】
また、連続撮影モードでフレームごとに読み出した画像データＤを、放射線画像撮影装置１の記憶手段２３（図２参照）に保存して蓄積するように構成することも可能である。いずれの場合も、後述する判別処理を行う際、クラウド上のサーバー等の外部装置や、放射線画像撮影装置１の記憶手段２３に保存されたフレームごとの画像データＤを用いて、判別処理を的確に行うことが可能となる。
【００８７】
一方、フレームごとの画像データＤを全て転送したり保存したりするように構成することも可能であるが、放射線の照射により各放射線検出素子７内で発生した電荷に起因する成分が含まれる画像データＤを含むフレームの画像データＤのみを転送、保存するように構成することも可能である。
【００８８】
放射線検出素子７では、放射線検出素子７自身の放射線検出素子７の熱（温度）に起因して放射線検出素子７内で暗電荷（暗電流等ともいう。）が常時発生している。そして、例えば放射線が照射される前のフレームでは、各放射線検出素子７から放出される暗電荷が画像データＤとして読み出されるが、その際に読み出される画像データＤは、放射線が照射されている際に読み出される、放射線の照射により各放射線検出素子７内で発生した電荷に起因する成分が含まれる画像データＤに比べると、値が格段に小さい。
【００８９】
そのため、暗電荷に起因する画像データＤと、放射線の照射により各放射線検出素子７内で発生した電荷に起因する成分が含まれる画像データＤとを適切に切り分けることが可能な閾値を設定しておき、例えば放射線画像撮影装置１の制御手段２２が、各放射線検出素子７から読み出される画像データＤの値を監視し、閾値以上の画像データＤが読み出されていないフレームの画像データＤは、転送したり保存したりせずに捨ててしまい、フレームの画像データＤに閾値以上の画像データＤが含まれる場合にのみ当該フレームの画像データＤを転送したり保存したりするように構成することも可能である。
【００９０】
このように構成すれば、暗電荷に起因するデータしかない不要な画像データＤを捨て、放射線の照射により各放射線検出素子７内で発生した電荷に起因する成分が含まれる有用な画像データＤのみを転送したり保存したりすることが可能となり、放射線画像撮影装置１から外部装置に転送する画像データＤや、放射線画像撮影装置１の記憶手段２３に保存する画像データＤのデータ量をより少なくすることが可能となる。
【００９１】
なお、上記の場合、個々の画像データＤが閾値以上であるか否かを判断するように構成すると、ノイズが載る等して、暗電荷に起因する画像データＤが読み出されているにもかかわらず、読み出された画像データＤが閾値以上になってしまう場合があり得る。そのため、そのような場合には、例えば、図６に示したように走査線５のあるラインＬにオン電圧が印加されて読み出された各画像データＤの、走査線５のラインＬごとの平均値等を算出し、平均値等が閾値以上である場合に、放射線の照射により各放射線検出素子７内で発生した電荷に起因する成分が含まれる画像データＤであると判断するように構成することも可能である。
【００９２】
また、動画撮影として動態撮影を行う際に、前述したように、例えば放射線照射装置から低線量の照射され続ける状態で照射されて動画撮影が行われる場合があるが（図９参照）、この場合は、放射線の照射開始後にフレームごとに読み出される画像データＤの値は、放射線の照射開始後の全てのフレームで閾値以上になる。そのため、この場合は、放射線の照射開始後の全てのフレームの画像データＤを転送したり保存することになる。
【００９３】
［フレームごとの画像データの読み出し処理の停止について］
ところで、前述したように、各読み出し回路１７（図２参照）での画像データＤの読み出し処理では比較的大きな電力が消費される場合があり、そのような場合に、放射線画像撮影装置１の撮影モードを連続撮影モードに設定した後、フレームごとの画像データＤの読み出し処理（図６等参照）を延々と続けると、放射線画像撮影装置１の内蔵電源２４が消耗してしまう虞れがある。
【００９４】
そこで、例えば放射線画像撮影装置１の制御手段２２が、上記のようにフレームごとの読み出し処理で読み出される画像データＤの値を監視し、読み出される画像データＤの値が前述した暗電荷に起因する画像データＤのレベルである状態（すなわち上記の閾値未満の画像データＤが読み出され続ける状態）が所定時間（数秒から数十秒程度に設定される。）継続した場合に、フレームごとの画像データＤの読み出し処理を停止するように構成することが可能である。
【００９５】
この場合、フレームごとの画像データＤの読み出し処理を停止した後は、撮影モードは連続撮影モードのまま、例えば放射線の照射開始の検出処理を行う状態（例えばＸ線センサーの出力値に基づいて検出処理を行う場合は放射線検出素子７ではリセット処理等が行われる。）に移行するように構成することが可能である。
【００９６】
また、動画撮影が行われるとしても、放射線の照射時間は数秒から数十秒程度であるため、例えば、撮影モードが連続撮影モードに設定された時点から開始した放射線の照射開始の検出処理で放射線の照射開始を検出してフレームごとの画像データＤの読み出し処理を繰り返し行う状態に移行した場合、フレームごとの画像データＤの読み出し処理に移行してから所定時間（数十秒から１分程度に設定される。）が経過した時点で、フレームごとの画像データＤの読み出し処理を停止するように構成することも可能である。
【００９７】
このように構成すれば、フレームごとの画像データＤの読み出し処理を無駄に継続してしまい放射線画像撮影装置１の内蔵電源２４が消耗してしまうことを的確に防止することが可能となる。
【００９８】
なお、この場合、フレームごとの画像データＤの読み出し処理を停止した後の放射線の照射開始の検出処理で放射線の照射開始が検出された場合には、再度、フレームごとの画像データＤの読み出し処理を繰り返し行う状態に移行するように制御される。
【００９９】
［静止画撮影による画像データか動画撮影による画像データかの判別処理について］
次に、上記のように放射線画像撮影装置１の撮影モードが連続撮影モードである状態で撮影されたフレームごとの画像データＤが、静止画撮影による画像データＤであるか動画撮影による画像データＤであるかを判別する判別処理について説明する。また、本実施形態に係る放射線画像撮影システム５０（図１０参照）の作用についてもあわせて説明する。
【０１００】
なお、以下では、この判別処理をコンソール等の画像処理装置５１で行う場合について説明するが、例えば放射線画像撮影装置１の制御手段２２が、記憶手段２３に保存した画像データＤやクラウド上のサーバー等から入手した画像データＤに基づいて判別処理を行うように構成することも可能である。また、以下の判別処理を、放射線画像撮影装置１を用いた一連の撮影後に行ってもよく、また、放射線画像撮影装置１を用いた撮影と同時並行で行うことも可能である。
【０１０１】
本実施形態では、画像処理装置５１は、図示しないＣＰＵやＲＯＭ、ＲＡＭ、入出力インターフェース等がバスに接続された汎用コンピューターで構成されており、ＲＯＭ等に記憶されているシステムプログラムや処理プログラム等の各種プログラムを読み出してＲＡＭに展開し、展開されたプログラムに従って各種処理が実行されるように構成されているが、専用の装置として構成されていてもよい。なお、本実施形態では、画像処理装置５１がコンソールである場合が想定されているが、コンソールとは別体の装置であってもよい。
【０１０２】
画像処理装置５１は、上記のようにして、放射線画像撮影装置１で、撮影モードが連続撮影モードである場合に読み出されたフレームごとの画像データＤ（上記のように放射線の照射により各放射線検出素子７内で発生した電荷に起因する成分が含まれる画像データＤを含むフレームの画像データＤのみの場合を含む。）を、前述したクラウド上のサーバー等の外部装置から転送させたり、或いは図１０に示すようにそれらの画像データＤが記憶手段２３に保存されている放射線画像撮影装置１から有線方式や無線方式で転送させて入手する。
【０１０３】
そして、画像処理装置５１は、以下のようにして判別処理を行うようになっている。
【０１０４】
［放射線の照射時間の割り出し］
画像処理装置５１は、判別処理において、まず、フレームごとの読み出し処理で読み出された画像データＤに基づいて、連続撮影モードの放射線画像撮影装置１に対して放射線が照射された照射時間を割り出す照射時間の割り出し処理を行うようになっている。以下、具体的に説明する。
【０１０５】
図１１は、連続撮影モードの放射線画像撮影装置１に対して例えば図７に示したように放射線が照射された場合に、放射線の照射により各放射線検出素子７内で発生した電荷に起因する成分が含まれる有用な画像データＤ（すなわち前述した閾値以上の画像データＤ）が読み出される範囲（図中の斜線参照）を模式的に表した図である。
【０１０６】
まず、ｍ回目のフレームの画像データＤの読み出し処理では、図７に示したように、走査線５のラインＬ１にオン電圧が印加されて読み出し処理が行われたのは放射線の照射が開始される前であるから、図１１に示すように、走査線５のラインＬ１に接続されている各放射線検出素子７からは、暗電荷に起因する不要な画像データＤ（上記の閾値未満の画像データＤ）しか読み出されない。
【０１０７】
そして、図７に示したように、走査線５のラインＬ２では、放射線の照射が開始されてからオン電圧が印加されているため、図１１に示すように、走査線５のラインＬ２に接続されている各放射線検出素子７からは、放射線の照射により各放射線検出素子７内で発生した電荷に起因する成分が含まれる有用な画像データＤ（上記の閾値以上の画像データＤ）が読み出される。走査線５のラインＬ３についても同様である。
【０１０８】
また、図７に示したように、走査線５のラインＬ４〜Ｌｘでは、放射線の照射後にオン電圧が印加されているため、図１１に示すように、走査線５のラインＬ４〜Ｌｘに接続されている各放射線検出素子７から読み出される画像データＤも、放射線の照射により各放射線検出素子７内で発生した電荷に起因する成分が含まれる有用な画像データＤになる。
【０１０９】
次に、ｍ＋１回目のフレームの画像データＤの読み出し処理では、図７に示したように、走査線５のラインＬ１に接続されている各放射線検出素子７からは、ｍ回目のフレームでは放射線の照射により各放射線検出素子７内で発生した電荷に起因する成分が含まれる画像データＤが読み出されていないため、ｍ＋１回目のフレームでこのような有用な画像データＤが読み出される。
【０１１０】
そして、図７に示したように、走査線５のラインＬ２、Ｌ３では、ｍ回目のフレームでオン電圧の印加が終了した後も放射線が照射されているため、ｍ回目のフレームでオン電圧の印加が終了した後に照射された放射線により各放射線検出素子７内で発生した電荷に起因する成分が含まれる有用な画像データがｍ＋１回目のフレームで読み出される。そのため、図１１に示すように、ｍ＋１回目のフレームで走査線５のラインＬ２、ｌ３に接続されている各放射線検出素子７から読み出される画像データＤも、有用な画像データＤになる。
【０１１１】
また、図７に示したように、走査線５のラインＬ４〜Ｌｘでは、ｍ回目のフレームで有用な画像データＤが読み出されているため、ｍ＋１回目のフレームでは、暗電荷に起因する不要な画像データＤ（上記の閾値未満の画像データＤ）しか読み出されない。
【０１１２】
以上のことから、図１１に示したように読み出された画像データＤを解析することで、以下のことが分かる。すなわち、
（１）放射線の照射が開始されたタイミングは、有用な画像データＤ（すなわち閾値以上の画像データＤ）が初めて読み出された時点（すなわち図７の例ではｍ回目のフレームで走査線５のラインＬ２にオン電圧が印加された時点）である。
（２）放射線の照射が終了したタイミングは、有用な画像が最後に読み出された時点（すなわちｍ＋１回目のフレームで走査線５のラインＬ３にオン電圧が印加された時点）から１フレーム分だけ前の時点（すなわちｍ回目のフレームで走査線５のラインＬ３にオン電圧が印加された時点）である。
【０１１３】
図８に示したように放射線が照射された場合には、放射線の照射が開始されてからｍ回目のフレームで走査線５のラインＬ４以降の各ラインＬにオン電圧が印加されているため、図１２に示すように、ｍ回目のフレームの走査線５のラインＬ４以降の各走査線５に接続されている各放射線検出素子７から読み出された画像データＤが有用な画像データＤになる。
【０１１４】
そして、ｍ＋１回目のフレームで走査線５のラインＬ２にオン電圧が印加された後に照射された放射線により各放射線検出素子７内で発生した電荷に起因する成分が含まれる有用な画像データがｍ＋２回目のフレームで読み出される。そのため、この場合は、図１２に斜線を付して示された範囲が、有用な画像データＤが読み出される範囲になる。
【０１１５】
そして、これに上記の解析結果を当てはめると、（１）放射線の照射が開始されたタイミングは、有用な画像データＤ（すなわち閾値以上の画像データＤ）が初めて読み出された時点、すなわちｍ回目のフレームで走査線５のラインＬ４にオン電圧が印加された時点である。（２）放射線の照射が終了したタイミングは、有用な画像が最後に読み出された時点すなわちｍ＋２回目のフレームで走査線５のラインＬ２にオン電圧が印加された時点から１フレーム分だけ前の時点、すなわちｍ＋１回目のフレームで走査線５のラインＬ２にオン電圧が印加された時点であるとわかる。そして、この解析結果は、図８に示した放射線が照射されている期間と一致する。
【０１１６】
そのため、本実施形態では、画像処理装置５１は、上記の解析結果（１）（２）を判断基準として、フレームごとの読み出し処理で読み出された画像データＤに基づいて、連続撮影モードの放射線画像撮影装置１に対して放射線の照射が開始されてから照射が終了するまでの照射時間Ｔを割り出す照射時間Ｔの割り出し処理を行うようになっている。
【０１１７】
例えば図１１に示したフレームごとの読み出し処理で読み出された画像データＤに基づくと、上記のように、放射線画像撮影装置１に放射線の照射が開始されてから照射が終了するまでの照射時間Ｔは、ｍ回目のフレームで走査線５のラインＬ２にオン電圧が印加されてから、同じｍ回目のフレームで走査線５のラインＬ３にオン電圧が印加されるまでの時間であるから、要するに画像データＤの読み出し処理で２本の走査線５に接続された各放射線検出素子７から画像データＤを読み出すのに要する時間として割り出される。
【０１１８】
また、例えば図１２に示したフレームごとの読み出し処理で読み出された画像データＤに基づくと、上記のように、放射線画像撮影装置１に放射線の照射が開始されてから照射が終了するまでの照射時間Ｔは、ｍ回目のフレームで走査線５のラインＬ４にオン電圧が印加されてから、次のｍ＋１回目のフレームで走査線５のラインＬ２にオン電圧が印加されるまでの時間であるから、要するに画像データＤの読み出し処理でｘ−１本の走査線５に接続された各放射線検出素子７から画像データＤを読み出すのに要する時間として割り出される。
【０１１９】
そして、割り出した照射時間Ｔに基づいて、放射線画像撮影装置１の撮影モードが連続撮影モードである状態で撮影されたフレームごとの画像データＤが静止画撮影による画像データＤであるか動画撮影による画像データＤであるかを判別することが可能な場合がある。そこで、本実施形態では、このような場合には、画像処理装置５１は、割り出した照射時間Ｔに基づいてフレームごとの画像データＤが静止画撮影による画像データＤであるか動画撮影による画像データＤであるかを判別する判別処理を行うようになっている。
【０１２０】
例えば、上記のようにして割り出した照射時間Ｔが、例えば１秒以上続くような場合は、動態撮影で放射線が照射され続けて動画撮影が行われたと判断することができる。そこで、このような場合は、画像処理装置５１は、放射線画像撮影装置１において連続撮影モードで撮影されたフレームごとの画像データＤが動画撮影による画像データＤであると判別する。
【０１２１】
また、割り出した照射時間Ｔによって照射された放射線が、静止画撮影で照射された放射線であるか、動画撮影でパルス状に複数回照射された放射線のうちの１つであるかを判別することができる場合もある。そこで、このような場合も、画像処理装置５１は、放射線画像撮影装置１において連続撮影モードで撮影されたフレームごとの画像データＤが静止画撮影による画像データＤであるか動画撮影による画像データＤであるかを照射時間Ｔに基づいて判別することができる。
【０１２２】
［経過時間の割り出し］
また、例えば、放射線画像撮影装置１に照射された放射線が、静止画撮影で照射された放射線であるか、動画撮影でパルス状に照射された放射線であるかは、放射線の照射が終了してから次の放射線の照射が開始されるまでの経過時間τを割り出すことによっても判別することができる。
【０１２３】
すなわち、上記の照射時間Ｔの割り出しで説明した判断基準（１）（２）を用いれば、放射線の照射開始のタイミングと照射終了のタイミングを割り出すことができる。そして、放射線の照射終了のタイミングから次の放射線の照射開始のタイミングまでの経過時間を割り出すことで、放射線の照射が終了してから次の放射線の照射が開始されるまでの経過時間τを割り出すことができる。
【０１２４】
なお、経過時間τと前述した照射時間Ｔとは図１３に示すような関係にあり、要するに照射時間Ｔは放射線を照射している時間、経過時間τは放射線を照射してから次に放射線を照射するまでの時間をそれぞれ表す。そして、静止画撮影の場合には、放射線の照射が終了してから次の放射線の照射が開始されるまでの経過時間τは早くても数秒はかかるが、動画撮影の場合には、通常、数十〜数百ミリ秒程度の短い時間間隔で放射線がパルス状に照射される。
【０１２５】
そこで、本実施形態では、画像処理装置５１は、上記の経過時間τが例えば１秒以上であれば静止画撮影による画像データＤであり、１秒未満であれば動画撮影による画像データＤであると判別するようになっている。
【０１２６】
なお、判別の基準となる時間を、上記のように１秒とする代わりに、２秒等の適宜の時間に設定することが可能である。また、画像データＤが静止画撮影による画像データＤである場合も動画撮影による画像データＤである場合も含め、画像データＤ同士の上記の経過時間τが数秒以上である場合には、別の撮影であると判別する。
【０１２７】
静止画撮影同士、或いは静止画撮影と動画撮影の場合は、互いに別の撮影であると判別されるため特に問題はないが、時系列的に見た場合、動画撮影による画像データＤと判別された画像データＤの次も動画撮影による画像データＤと判別された場合でも、それらの間の経過時間τが数秒以上あいているのであれば、それらは別の動画撮影による画像データＤであると判別される。
【０１２８】
［放射線の線量率の割り出し］
一方、静止画撮影では放射線が１回照射されるのに対し、動画撮影では放射線が複数回照射されるため、動画撮影の際に照射される放射線の線量率ＤＲ（すなわち単位時間当たりの線量）を静止画撮影の場合と同程度の線量率とすると、被写体である患者に照射される放射線のトータルの線量が非常に多くなり、患者の被曝線量が大きくなる。
【０１２９】
そのため、動画撮影の際には、線量率ＤＲを小さくするために、放射線照射装置に、照射する放射線の線量を低下させるためのフィルターが配置される場合がある。そして、このようにフィルターが配置される等するために、静止画撮影の際に照射される放射線の線量率ＤＲに比べて、動画撮影の際に照射される放射線の線量率ＤＲは、通常、格段に小さい値になる。そして、放射線画像撮影装置１に照射される放射線の線量率ＤＲが大きいほど各放射線検出素子７から読み出される画像データＤの値が大きくなる。
【０１３０】
そこで、本実施形態では、画像処理装置５１は、上記のようにフレームごとに読み出された画像データＤの値から放射線画像撮影装置１に照射された放射線の線量率ＤＲを算出し、算出した放射線の線量率ＤＲに基づいて（すなわち算出した放射線の線量率ＤＲが閾値以上であるか閾値未満であるかに基づいて）、当該画像データＤが、静止画撮影による画像データか動画撮影による画像データかを判別するようになっている。
【０１３１】
なお、この場合、画像処理装置５１は、放射線画像撮影装置１ごとに、読み出された画像データＤと照射された放射線の線量率ＤＲとの換算率の情報等を記憶手段に記憶する等して有している。また、個々の画像データＤに基づいて放射線の線量率ＤＲを算出するように構成すると、ノイズが載る等して読み出された画像データＤが大きな値になり、算出される放射線の線量率ＤＲが実際よりも大きく算出されてしまう可能性がある。
【０１３２】
そこで、上記のように個々の画像データＤに基づいて放射線の線量率ＤＲを算出する代わりに、例えば図１１や図１２に示した、放射線の照射により各放射線検出素子７内で発生した電荷に起因する成分が含まれる有用な画像データＤが読み出された範囲（図中の斜線参照）の画像データＤの、走査線５のラインＬごとの平均値等を算出し、算出した平均値等に基づいて放射線の線量率ＤＲを算出するように構成することも可能である。
【０１３３】
また、画像データＤやその平均値等を放射線の線量率ＤＲに換算する代わりに、読み出された画像データＤの値そのものやその平均値等に基づいて、画像データＤが、静止画撮影による画像データか動画撮影による画像データかを判別するように構成することも可能である。この場合、上記のように画像データＤが静止画撮影による画像データであるか動画撮影による画像データであるかを切り分けるための閾値に対応する、画像データＤの値やその平均値等に対する閾値を予め設定しておき、その閾値以上であるか閾値未満であるかに応じて、画像データＤが、静止画撮影による画像データか動画撮影による画像データかを判別するように構成される。
【０１３４】
画像処理装置５１は、上記の各方法、すなわち照射時間Ｔや経過時間τ、放射線の線量率ＤＲ、画像データＤの値そのもの（或いはその平均値等）を用いる各方法の全て、或いはその中の少なくとも１つの方法を用いて、画像データＤが、静止画撮影による画像データか動画撮影による画像データかを判別するように構成される。そして、このように構成することで、画像データＤが、静止画撮影による画像データか動画撮影による画像データかを的確に判別することが可能となる。
【０１３５】
また、例えば前述した胃のバリウム検査等では、被写体に低線量の放射線を連続的に照射して動画撮影を行いながら、ある時点で相対的に大きな線量率の放射線を照射して静止画撮影が行われる。そのような場合には、フレームごとの画像データＤの読み出し処理で走査線５の最初のラインＬ１からあるラインＬにオン電圧が印加されて画像データＤが読み出される時点までは動画撮影が行われており、走査線５の次のラインＬからは線量率が増加して静止画撮影が行われるような状態になる。
【０１３６】
そのため、この場合は、１フレーム分の画像データＤの中に、静止画撮影による画像データＤと、動画撮影による画像データＤとが混在する状態になる。また、静止画撮影が終了して、再度、被写体に低線量の放射線を連続的に照射して動画撮影を状態に切り替わった場合でも同様に、１フレーム分の画像データＤの中に、静止画撮影による画像データＤと、動画撮影による画像データＤとが混在する状態になる。
【０１３７】
そのため、１フレーム分の画像データＤの中でも、静止画撮影による画像データＤと、動画撮影による画像データＤとを切り分けることが必要になるが、上記のように、放射線の線量率（或いは画像データＤそのものやその平均値等）によって、画像データＤが、静止画撮影による画像データか動画撮影による画像データかを判別するように構成することで、それらを的確に切り分けることが可能となる。
【０１３８】
［画像データに対する情報の付帯について］
画像処理装置５１は、上記の判別処理の結果、画像データＤが静止画撮影による画像データである、或いは動画撮影による画像データであると判別すると、その情報（すなわち静止画撮影による画像データか動画撮影による画像データかを表す情報）を、例えば当該画像データＤのヘッダーに書き込む等して当該画像データＤに付帯させるようになっている。
【０１３９】
また、動画撮影による画像データＤと判別した複数の画像データＤのうち、上記のようにして割り出した経過時間τ、すなわち放射線の照射が終了してから次の放射線の照射が開始されるまでの経過時間τに基づいて同じ動画撮影で得られた一連の画像データであると判断される複数の画像データＤについては、それらの画像データＤが同じ動画撮影で得られた一連の画像データであることを表す情報も付帯させて１つのグループとして処理するようになっている。
【０１４０】
その際、同じ動画撮影で得られた一連の複数の画像データＤについては、撮影された順番に（すなわち時系列的に）番号を付ける等して、撮影順が分かる情報をも付帯させることが望ましい。
【０１４１】
なお、前述したように、放射線画像撮影装置１で上記の判別処理を行うように構成する場合には、放射線画像撮影装置１の制御手段２２は、上記のように、各画像データＤに、当該画像データＤが静止画撮影による画像データか動画撮影による画像データかを表す情報を付帯させたり、動画撮影による画像データＤと判別した複数の画像データＤについてそれらの画像データＤが同じ動画撮影で得られた一連の画像データであることを表す情報も付帯させて、クラウド上のサーバーや画像処理装置５１に画像データＤを転送するように構成される。
【０１４２】
そして、判別処理を画像処理装置５１で行う場合も放射線画像撮影装置１の制御手段２２が行う場合も、上記のように画像データＤに、当該画像データＤが静止画撮影による画像データか動画撮影による画像データかを表す情報等を付帯させることで、以下で説明する静止画の放射線画像や動画の放射線画像を生成する際に、静止画の放射線画像を動画の放射線画像であると誤って認識したり動画の放射線画像を静止画の放射線画像と誤って認識して放射線画像を生成してしまうことを的確に防止することが可能となる。
【０１４３】
そして、放射線画像撮影装置１で撮影された画像データＤが、静止画撮影による画像データか動画撮影による画像データかを的確に判別して、画像データＤに基づいて静止画の放射線画像や動画の複数の放射線画像を適切に生成させることが可能となる。
【０１４４】
［画像処理装置による静止画或いは動画の放射線画像の生成処理について］
画像処理装置５１は、上記のようにして、判別処理の結果に基づいて画像データＤに付帯されている情報に基づいて静止画の放射線画像や動画の複数の放射線画像を生成するようになっている。
【０１４５】
すなわち、画像処理装置５１は、静止画撮影による画像データであることを表す情報が付帯されている画像データＤに基づいて静止画の放射線画像を生成し、動画撮影による画像データであることを表す情報が付帯されている画像データＤに基づいて動画を構成する複数の放射線画像を生成するようになっている。以下、具体的に説明する。
【０１４６】
静止画撮影による画像データＤや、動画撮影による画像データＤのうち放射線がパルス状に照射されて行われた動画撮影による画像データＤの場合、図７や図８（或いは図１１や図１２）に示したように、放射線の照射により放射線検出素子７内で発生した電荷に起因する成分が含まれる有用な画像データＤが複数のフレームに分かれて読み出される場合がある。
【０１４７】
すなわち、例えば図７や図１１に示した例では、走査線５のラインＬ２、Ｌ３に接続されている各放射線検出素子７内で発生した電荷がｍ回目のフレームとｍ＋１回目のフレームとそれぞれ画像データＤとして読み出される。
【０１４８】
そのため、走査線５のラインＬ２、Ｌ３に接続されている各放射線検出素子７については、ｍ回目のフレームとｍ＋１回目のフレームとそれぞれ読み出された画像データＤを加算した画像データＤが、本来読み出されるべき画像データＤということになる。しかし、画像データＤには、放射線の照射により放射線検出素子７内で発生した電荷だけでなく暗電荷に起因するオフセット分が重畳されている。
【０１４９】
そのため、走査線５のラインＬ２、Ｌ３についてのみ、ｍ回目のフレームとｍ＋１回目のフレームとそれぞれ読み出された画像データＤを加算した画像データＤを用い、走査線５のラインＬ１についてはｍ＋１回目のフレームで読みされた画像データＤを用い、走査線５のラインＬ４〜Ｌｘについてはｍ回目のフレームで読み出された画像データＤを用いるように構成すると、走査線５のラインＬ２、Ｌ３に接続されている放射線検出素子７から読み出された画像データＤには、上記の暗電荷に起因するオフセット分が２フレーム分重畳されるのに対し、走査線５の他のラインＬ１、Ｌ４〜Ｌｘに接続されている放射線検出素子７から読み出された画像データＤには、上記の暗電荷に起因するオフセット分が１フレーム分だけ重畳される状態になり、生成された放射線画像にムラが生じてしまう可能性がある。
【０１５０】
そこで、例えば図７や図１１に示したように、放射線の照射により放射線検出素子７内で発生した電荷に起因する成分が含まれる有用な画像データＤがｍ回目とｍ＋１回目の２フレームで読み出される場合には、走査線５の各ラインＬ１〜Ｌｘに接続されている全ての放射線検出素子７について、図１１に示したｍ回目のフレームとｍ＋１回目のフレームの２フレーム分の各フレームでそれぞれ読み出された画像データＤ（図１１中の斜線の部分だけでなく斜線を付していない部分の画像データＤも含む。）を加算して、画像データＤを算出するように構成される。
【０１５１】
このことは例えば図８や図１２に示した例においても同様であり、放射線の照射により放射線検出素子７内で発生した電荷に起因する成分が含まれる有用な画像データＤがｍ回目からｍ＋２回目の３フレームで読み出される場合には、走査線５の各ラインＬ１〜Ｌｘに接続されている全ての放射線検出素子７について、図１２に示したｍ回目からｍ＋２回目の３フレーム分の各フレームでそれぞれ読み出された画像データＤ（図１２中の斜線の部分だけでなく斜線を付していない部分の画像データＤも含む。）を加算して、画像データＤを算出するように構成される。
【０１５２】
なお、例えば、図７に示されるｍ回目のフレームにおける走査線５のラインＬ４〜Ｌｘ等の放射線の照射により放射線検出素子７内で発生した電荷に起因する成分が含まれる有用な画像データＤが読み出されているラインの画像データＤに対しては、図７に示されるｍ＋１回目のフレームにおける走査線５のラインＬ４〜Ｌｘ等の直近のフレームにおいて暗電荷に起因する不要な画像データＤしか読み出されないラインの画像データＤを、それぞれ対応するラインのオフセットデータＯとして、オフセット補正を行ってもよい。このように、連続撮影モード時は、暗電荷に起因する不要な画像データＤしか読み出されない直近のフレームをオフセットデータＯとすることにより、電荷蓄積状態がない分、より直近のフレームをオフセットデータＯとすることができ、より精度の高い補正を行うことが可能となる。
【０１５３】
ここで、例えば、図７に示される走査線５のラインＬ２、Ｌ３等のように、ｍ回目のフレームとｍ＋１回目のフレームとでそれぞれ読み出された画像データＤを加算した画像データＤを算出する場合は、暗電荷に起因するオフセット分が２フレーム分重畳されているため、図７に示されるｍ＋２回目のフレームにおける走査線５のラインＬ２、Ｌ３等の直近のフレームにおいて暗電荷に起因する不要な画像データＤしか読み出されないラインの画像データＤをオフセットデータＯとして、加算したフレーム回数分だけ、オフセット補正することで、重畳されたオフセット分を精度良く補正することができる。
【０１５４】
また、ライン毎に画像データＤを加算したフレーム回数分だけオフセット補正を行うことにより、例えば図７において走査線５のラインＬ２、Ｌ３についてのみ、ｍ回目のフレームとｍ＋１回目のフレームとそれぞれ読み出された画像データＤを加算した画像データＤを用い、走査線５のラインＬ４〜Ｌｘについてはｍ回目のフレームで読み出された画像データＤを用いる構成とし、各ラインに応じて画像データＤの加算回数が異なる場合においても、重畳される暗電荷に起因するオフセット分をキャンセルすることが可能となり、放射線画像に対するムラの発生を抑制することが可能となる。
【０１５５】
さらに、オフセットデータＯは、暗電荷に起因する不要な画像データＤしか読み出されないラインの画像データＤを、補正対象のフレームの各ラインに対して、例えば直近の複数フレーム等、複数フレーム分加算して生成してもよい。
【０１５６】
画像処理装置５１は、上記のようにして算出した画像データＤに対して、ゲイン補正や階調処理等の公知の画像処理を行って、静止画撮影による画像データＤに基づいて静止画の放射線画像を生成し、動画撮影による画像データＤに基づいて動画の複数の放射線画像を生成するようになっている。
【０１５７】
一方、動画撮影による画像データＤのうち低線量の放射線が照射され続ける状態で照射されて行われた動画撮影による画像データＤの場合には（図９参照）、各フレームで連続して、放射線の照射により放射線検出素子７内で発生した電荷に起因する成分が含まれる有用な画像データＤが読み出される。
【０１５８】
そのため、この場合は、各フレームごとに放射線画像を生成するように構成することが可能である。すなわち、１フレームごとに１枚ずつ放射線画像を生成するように構成することが可能である。この場合は、動画の放射線画像として、放射線の照射により放射線検出素子７内で発生した電荷に起因する成分が含まれる有用な画像データＤが読み出されているフレーム数分の複数の放射線画像が生成される。
【０１５９】
また、例えば、放射線の照射により放射線検出素子７内で発生した電荷に起因する成分が含まれる有用な画像データＤが読み出されている複数の連続したフレームの中から、所定のフレーム数ごとに１フレーム分の画像データＤを抽出し、それらの画像データＤに基づいてそれぞれ放射線画像を生成して、動画の複数の放射線画像を生成するように構成することも可能である。
【０１６０】
なお、前述した胃のバリウム検査等のように、１フレーム分の画像データＤの中に、静止画撮影による画像データＤと、動画撮影による画像データＤとが混在する場合には、上記のようにして切り分けられた静止画撮影による画像データＤと動画撮影による画像データＤとがそれぞれ別々に処理されることは言うまでもない。
【０１６１】
そして、以上のようにして、画像処理装置５１で、静止画撮影による画像データであることを表す情報が付帯されている画像データＤに基づいて静止画の放射線画像を生成し、動画撮影による画像データであることを表す情報が付帯されている画像データＤに基づいて動画を構成する複数の放射線画像を生成することで、上記のようにして静止画撮影による画像データＤであるか動画撮影による画像データＤであるかを的確に判別された画像データＤに基づいて、静止画の放射線画像や動画の複数の放射線画像を適切に生成することが可能となる。
【０１６２】
［撮影オーダー情報を利用した判別処理について］
なお、本実施形態では、放射線画像撮影装置１を患者の自宅や災害現場等に持ち込んで撮影を行う際に、前述した撮影オーダー情報に基づいて撮影を行うことは想定されていないが、画像処理装置５１は、生成した放射線画像を、対応する撮影オーダー情報に対応付けるため、撮影オーダー情報を有している。そして、撮影オーダー情報には、撮影が静止画撮影（単純撮影や一般撮影等ともいう。）で行われるか動画撮影等で撮影されるかが指定されている。
【０１６３】
そのため、例えば、画像処理装置５１で上記の判別処理を行う際に、連続撮影モードの放射線画像撮影装置１で撮影されたフレームごとの画像データＤを撮影順に（時系列的に）並べ、それらと撮影順に並べた撮影オーダー情報とを対応付けていくことで、画像データＤが、静止画撮影による画像データＤであるか動画撮影による画像データＤであるかを判別するように構成することもできる。このように、画像処理装置１で判別処理を行う場合には、撮影オーダー情報を利用して判別処理を行うように構成することが可能である。
【０１６４】
［静止画と動画との後仕分けについて］
ところで、上記の実施形態等では、放射線画像撮影装置１の撮影モードが連続撮影モードである場合に、放射線技師等の操作者が、静止画撮影を行う意図、或いは動画撮影を行う意図をもって撮影を行う場合について説明したが、操作者が、撮影の際には、静止画と動画との区別をつけずに連続撮影モードで撮影を行い、後で、撮影されたフレームごとの画像データＤを用いて静止画や動画を生成するように構成することも可能である。
【０１６５】
この場合、放射線画像撮影装置１の制御手段２２は、放射線画像撮影装置１の撮影モードを連続撮影モードに設定すると、図６に示したように、フレームごとに画像データＤの読み出し処理を繰り返して、読み出したフレームごとの画像データＤを記憶手段２３（図２参照）に保存する。
【０１６６】
そして、撮影後、放射線技師等の操作者が、放射線画像撮影装置１を直接操作したり、スマートフォンや携帯情報端末等を操作して、読み出したフレームごとの画像データＤに基づいて動画撮影による画像データＤを作成する旨の指示が入力された場合には、放射線画像撮影装置１の制御手段２２は、記憶手段２３からフレームごとの画像データＤを読み出し、それらに基づいて動画撮影による画像データＤを作成する。
【０１６７】
すなわち、上記のように、低線量の放射線が照射され続ける状態で撮影が行われた場合（図９参照）には、放射線画像撮影装置１の制御手段２２は、放射線技師等の操作者から動画撮影による画像データＤを作成する旨の指示が入力されると、例えば１フレームごとに１枚ずつ静止画撮影による画像データＤを作成したり、或いは、連続したフレームの中から所定のフレーム数ごとに１フレーム分の画像データＤをそれぞれ抽出し、それらを動画撮影による複数フレーム分の画像データＤとして作成する。
【０１６８】
また、この場合に、放射線技師等の操作者から静止画撮影による画像データＤを作成する旨の指示が入力されると、放射線画像撮影装置１の制御手段２２は、例えば、連続したフレームの中から所定のフレーム数ごとに１フレーム分の画像データＤを抽出した間引きデータ（或いは全てのフレームの画像データＤ）を携帯情報端末等に送信して、携帯情報端末等の表示部上に間引きデータ（或いは全データ）を表示される。
【０１６９】
そして、表示されたデータを見た操作者から、どのフレームの静止画を作成するかを指定するフレーム番号等の情報が送信されてくると、各画素の信号値をある程度大きくするために、そのフレーム番号のフレームを含む２フレームや３フレーム等の所定のフレーム数のフレームごとの画像データＤを画素ごとに加算して、静止画撮影による１フレーム分の画像データＤを作成するように構成することが可能である。
【０１７０】
一方、放射線がパルス状に照射されて撮影が行われた場合（図７や図８参照）には、放射線画像撮影装置１の制御手段２２は、放射線技師等の操作者から動画撮影による画像データＤを作成する旨の指示が入力されると、図１１や図１２に示したように、放射線の照射により放射線検出素子７内で発生した電荷に起因する成分が含まれる有用な画像データＤが読み出されているフレームの画像データＤをそれぞれ加算する等して動画撮影による複数フレーム分の画像データＤを作成する。
【０１７１】
また、この場合に、放射線技師等の操作者から静止画撮影による画像データＤを作成する旨の指示が入力されると、放射線画像撮影装置１の制御手段２２は、上記と同様にして動画撮影による複数フレーム分の画像データＤを作成し、それらを携帯情報端末等に送信して表示部上に表示させ、操作者がそれらの中から選択したフレームの画像データＤを静止画撮影による１フレーム分の画像データＤを作成するように構成することも可能である。
【０１７２】
或いは、図１１や図１２に示したように加算する前の、全てのフレームごとの画像データＤ（いわゆるrawデータ）或いは連続したフレームの中から所定のフレーム数ごとに１フレーム分の画像データＤを抽出した間引きデータ（間引かれたrawデータ）を携帯情報端末等に送信して表示部上に表示させ、それを見た操作者から指示されたフレーム番号のフレームを含む各フレームについて図１１や図１２に示した処理を行い、フレームごとの画像データＤを加算して、静止画撮影による１フレーム分の画像データＤを作成するように構成することも可能である。
【０１７３】
そして、上記のように構成する場合には、画像処理装置５１は、放射線画像撮影装置１で作成された静止画撮影による１フレーム分の画像データＤが放射線画像撮影装置１から送信されてくると、それに基づいて上記のようにして静止画の放射線画像を生成する。また、放射線画像撮影装置１で作成された動画撮影による複数フレーム分の画像データＤが放射線画像撮影装置１から送信されてくると、それらに基づいて動画を構成する複数の放射線画像を生成するように構成される。
【０１７４】
上記のように構成することで、いずれの場合においても、放射線技師等の操作者が、撮影時に静止画と動画のいずれをも意図せずに連続撮影モードで撮影を行い、後で、撮影されたフレームごとの画像データＤを基づいて静止画や動画を生成するように構成することが可能となる。そのため、撮影の自由度を向上させることが可能となり、放射線画像撮影装置１や放射線画像撮影システム５０が、放射線技師等の操作者にとって使い勝手がよいものとなる。
【０１７５】
なお、上記の放射線技師等の操作者の指示に応じた静止画または動画の生成を、画像処理装置５１で行うように構成することも可能である。この場合は、上記のように、連続撮影モードで読み出したフレームごとの画像データＤを、クラウド上のサーバーや外部装置を経由して放射線画像撮影装置１から画像処理装置５１に転送したり、或いは放射線画像撮影装置１の記憶手段２３に保存しておいたフレームごとの画像データＤを、撮影後に放射線画像撮影装置１から画像処理装置５１に転送する。
【０１７６】
そして、画像処理装置５１は、放射線技師等の操作者の指示に応じて、上記の放射線画像撮影装置１の場合と同様にして、連続撮影モードの放射線画像撮影装置１で読み出されたフレームごとの画像データＤに基づいて静止画撮影による１フレーム分の画像データＤ或いは動画撮影による複数フレーム分の画像データＤを作成し、作成した静止画撮影による１フレーム分の画像データＤに基づいて静止画の放射線画像を生成し、或いは、作成した動画撮影による複数フレーム分の画像データＤに基づいて動画を構成する複数の放射線画像を生成するように構成される。
【０１７７】
そして、このように構成することで、放射線技師等の操作者が、撮影時に静止画と動画のいずれをも意図せずに連続撮影モードで撮影を行い、後で、撮影されたフレームごとの画像データＤを基づいて静止画や動画を生成するように構成することが可能となる。そのため、撮影の自由度を向上させることが可能となり、放射線画像撮影装置１や放射線画像撮影システム５０が、放射線技師等の操作者にとって使い勝手がよいものとなる。
【０１７８】
［画像データを転送できない場合について］
なお、本実施形態では、上記のように、コンソール等の外部の制御装置との通信を行うことができず撮影が静止画撮影であるか動画撮影であるかが不明になった場合には、放射線画像撮影装置１の撮影モードを連続撮影モードに設定して撮影を行う。そして、このように外部装置と通信を行うことができない場合には、放射線画像撮影装置１からクラウド上のサーバー等にもフレームごとの画像データＤを転送することができない場合も生じ得る。
【０１７９】
このような場合、送信できなかったフレームごとの画像データＤを放射線画像撮影装置１の記憶手段２３に一時的に保存しておき、通信が回復した時点でフレームごとの画像データＤの転送を再開するように構成することができる。その際、フレームごとの画像データＤを、通信が中断される直前に転送したフレームの続きのフレームから画像データＤの転送を再開することも可能である。
【０１８０】
この場合、例えばフレーム番号が「１」、「２」、「３」のフレームの画像データＤを転送し終わった時点で通信を行うことができなくなり、例えばフレーム番号が「４」、「５」のフレームの画像データＤを記憶手段２３に保存する。そして、その後、通信が回復し、フレーム番号が「６」以降の各フレームのフレームごとの画像データＤを転送することができる状態になった場合に、フレーム番号が「４」のフレームの画像データＤを記憶手段２３から読み出して転送するとともに、フレーム番号が「６」のフレームの画像データＤを記憶手段２３に記憶する。
【０１８１】
また、フレーム番号が「５」のフレームの画像データＤを記憶手段２３から読み出して転送するとともに、フレーム番号が「７」のフレームの画像データＤを記憶手段２３に記憶する。このように、上記のように構成すると、記憶手段２３からの画像データＤの読み出しと保存を同時に繰り返し行うことになり、処理が煩雑になる場合がある。
【０１８２】
そこで、上記のように構成する代わりに、転送できず記憶手段２３に保存した画像データＤは、通信が再開した時点でもそのまま記憶手段２３に保存しておき、通信が回復した時点で読み出したフレームごとの画像データＤを先に転送する。そして、フレームごとの画像データＤの転送が終了した時点で、記憶手段２３に保存されたフレームごとの画像データＤを転送するように構成することも可能である。
【０１８３】
この場合、上記の例のように、フレーム番号が「１」、「２」、「３」のフレームの画像データＤを転送し終わった時点で通信を行うことができなくなり、例えばフレーム番号が「４」、「５」のフレームの画像データＤを記憶手段２３に保存した時点で通信が回復した場合には、フレーム番号「４」、「５」のフレームごとの画像データＤを記憶手段２３に保存したままにしておき、通信が回復した時点で読み出したフレーム番号「６」以降の各フレームのフレームごとの画像データＤを先に転送する。そして、全ての画像データＤを転送し終わった後で、記憶手段２３に保存しておいたフレーム番号「４」、「５」のフレームごとの画像データＤを転送するように構成することが可能である。
【０１８４】
このように構成すれば、上記のように記憶手段２３からの画像データＤの読み出しと保存を同時に繰り返し行うことが不要になり、画像データＤの転送処理が一通り終了した後で、記憶手段２３に保存された画像データＤを読み出して転送すればよくなるため、放射線画像撮影装置１での処理を簡略化することが可能となる。
【０１８５】
［画像データＤの撮影順と転送の順番が変わり得る場合について］
しかし、このように構成すると、上記の例で言えば、画像処理装置５１に転送されてくる画像データＤの順番が、フレーム番号「１」、「２」、「３」、「６」、…のフレームごとの画像データＤの後にフレーム番号「４」、「５」のフレームごとの画像データＤが転送されてくることになり、画像処理装置５１への画像データＤの転送順が撮影された順番とは異なる順番になってしまう。
【０１８６】
そこで、このような問題が生じることを防止するために、例えば、少なくとも放射線画像撮影装置１の制御手段２２は、撮影モードが連続撮影モードに設定された状態で画像データＤを読み出した各フレームに対して撮影順に番号を付けていき、フレームに付けた番号を、当該フレームの画像データＤのヘッダーに書き込む等して付帯させるように構成することが可能である。
【０１８７】
このように構成すれば、画像処理装置５１は、転送されてきたフレームごとの画像データＤを、画像データＤに付帯されたフレームの番号（すなわち撮影順）に並べ直して処理を行うことが可能となる。
【０１８８】
また、通信が間欠的に途絶え、その度にフレームごとの画像データＤを記憶手段２３に保存しておくことになるような場合も、上記のように、フレームに撮影した順番に番号を付けるように構成すれば、画像処理装置５１で、転送されてきたフレームごとの画像データＤを撮影順に並べ直して処理を行うことが可能となる。
【０１８９】
そのため、通信環境が悪化して、上記のように、画像処理装置５１へのフレームごとの画像データＤの転送の順番が、放射線画像撮影装置１でのフレームごとの画像データＤの撮影順とは異なる順番になってしまう場合であっても、フレームごとの画像データＤを撮影された順番に適切に並べ替えて、判別処理や放射線画像の生成処理等の各処理を的確に行うことが可能となる。
【０１９０】
［記憶手段のメモリー残量や内蔵電源の残量等について］
一方、放射線画像撮影装置１が、図２に示したように、記憶手段２３と内蔵電源２４を有する装置である場合、上記のように、撮影モードを連続撮影モードに設定した際にフレームごとの画像データＤの読み出し処理を連続して繰り返し行うように構成すると、記憶手段２３のメモリー残量や内蔵電源２４の残量次第では、撮影できるフレーム数が限られてしまい、特に複数の放射線画像を生成するために多数のフレーム分の画像データＤを読み出さなければならない動画撮影を行うことができない事態が生じ得る。
【０１９１】
例えば、トモシンセシス撮影の場合には例えば１０枚や２０枚分の放射線画像を生成するために必要なフレーム数の画像データＤを撮影しなければならず、肺野等の動態撮影を行う場合にはさらに多くのフレーム数の画像データＤが必要になる。
【０１９２】
そこで、放射線画像撮影装置１の制御手段２２は、記憶手段２３のメモリー残量や内蔵電源２４の残量を監視し、それらの残量が所定量以下になった時点で、その情報を、例えばインジケーター２８（図１参照）を所定の色や点灯、点滅の仕方等で発光させたり、或いは、ピープ音を発生させる等して、放射線技師等の操作者に報知するように構成することが可能である。また、操作者が、スマートフォンや携帯情報端末等を所持している場合には、それらに送信して、画面上に表示させたり音声を発生させたりして報知するように構成することも可能である。
【０１９３】
また、記憶手段２３のメモリー残量や内蔵電源２４の残量と、１フレーム分の画像データＤの読み出しに必要な電力や、それを記憶する記憶手段２３のメモリー容量、１フレーム分の画像データＤを読み出すのに必要な電力等に基づいて、撮影可能なフレーム数を割り出し、例えば連続撮影モードで最大何秒間撮影可能であるかや、動態撮影やトモシンセシス撮影を行うことが可能であるか否か等を割り出して、その情報をインジケーター２８の点灯、点滅やビープ音で報知したり、スマートフォン等で報知するように構成することも可能である。
【０１９４】
ここで、連続撮影モード時、或いは外部の制御装置との通信を行うことができない場合においては、画像データＤを記憶する記憶手段２３は、不揮発性の記憶媒体であることが好ましい。さらに、この不揮発性の記憶媒体が放射線画像撮影装置１に対して脱着可能であることが好ましい。このように、記憶手段２３を放射線画像撮影装置１に脱着可能な不揮発性の記憶媒体とすることで、外部の制御装置との通信を行うことができない場合においても、記憶手段２３を放射線画像撮影装置１から取り外し、別の外部装置へ接続することで、記憶手段２３に記憶された画像データＤを容易に読み出すことが可能となる。
【０１９５】
なお、例えば、デュアルエナジーサブトラクション（dual energy subtraction）法を用いて撮影を行う場合、通常、非常に短い時間間隔で２枚の放射線画像の画像データＤが撮影される。そのため、本実施形態に係る放射線画像撮影装置１では、撮影モードを動画モードに設定して撮影を行うことが可能であり、また、撮影モードを連続撮影モードに設定しても撮影を行うことが可能となる。
【０１９６】
また、本発明が上記の実施形態等に限定されず、本発明の趣旨を逸脱しない限り、適宜変更可能であることは言うまでもない。
【産業上の利用可能性】
【０１９７】
放射線画像撮影を行う分野（特に医療分野）において利用可能性がある。
【符号の説明】
【０１９８】
１  放射線画像撮影装置
７  放射線検出素子
２２  制御手段
２３  記憶手段
５０  放射線画像撮影システム
５１  画像処理装置
Ｄ  画像データ
ＤＲ  線量率
Ｔ  照射時間
τ  経過時間
【図１】
2017013896.tif 000003
【図２】
2017013896.tif 000004
【図３】
2017013896.tif 000005
【図４】
2017013896.tif 000006
【図５】
2017013896.tif 000007
【図６】
2017013896.tif 000008
【図７】
2017013896.tif 000009
【図８】
2017013896.tif 000010
【図９】
2017013896.tif 000011
【図１０】
2017013896.tif 000012
【図１１】
2017013896.tif 000013
【図１２】
2017013896.tif 000014
【図１３】
2017013896.tif 000015
【国際調査報告】
2017013896.tif 000016
2017013896.tif 000017
2017013896.tif 000018
2017013896.tif 000019